【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
細長い梁の中央ウェブの端部領域によって、かつ当該端部領域を介して作り出される添継ぎ部を介して、他の同様な柱の同様な端部と端部同士を接合して構築される少なくとも一つの端部を有する細長い構造用柱であって、
各々が角度を持って接合される一対の細長い脚部を有する複数の細長い山形鋼状構成部材と、
前記山形鋼状構成部材の両端部の中間部分で、前記山形鋼状構成部材に挿入され、当該山形鋼状構成部材に固定され、また前記山形鋼状構成部材を位置決めするように、前記柱の長さに沿って、前記山形鋼状構成部材のそれぞれの脚部の各々を、隣接する山形鋼状構成部材の脚部に対して、間隔をあけて対向させかつ全体として平行とするスペーサ構造であって、対向する脚部の間の間隔が、前記柱に添継ぎ式で接合するための梁の前記中央ウェブの厚さに関して、全体として隙間をあけて嵌る寸法の関係を有する、スペーサ構造と、
少なくとも一つの前記端部領域において、少なくとも一つの前記端部を同様な柱の同様な端部に対して、梁との添継ぎ接合を提供するようになされる添継ぎに適合する構造であって、このような接合に、梁の中央ウェブの端部が対向する脚部の間の間隔に、隙間をあけて嵌められるように受け入れる状態を生じさせる、添継ぎに適合する構造とを備える、細長い構造用柱。
【請求項２】
前記柱の長軸に沿って見ると、前記柱は全体として十字形の横断面外形を有する、請求項１に記載の柱。
【請求項３】
前記柱の長軸に沿って見ると、前記柱は、脚部によって規定される全体として十字形の横方向断面外形を有し、前記脚部は前記柱の長軸から全体として放射状に外側に延びる平面内にある、請求項１に記載の柱。
【請求項４】
前記山形鋼状構成部材と前記スペーサ構造とが互いにボルト結合されている、請求項１、２又は３の何れか一項に記載の柱。
【請求項５】
前記添継ぎ適合構造が複数のボルト受け貫通孔を含む、請求項１、２又は３の何れか一項に記載の柱。
【請求項６】
前記柱の長軸に沿って見ると、前記フランジによって規定される全体として星形の放射状外形を有する、請求項１に記載の柱。
【請求項７】
長軸と、
全体として並んだ状態で互いに効果的に接合される複数の細長い構成部材であって、限定された方法で互いに長手方向に可逆的に動くことができるような複数の細長い構成部材とを備える、細長い構造用柱。
【請求項８】
前記細長い構成部材の次に隣接する複数の細長い構成部材が、面同士が対向する全体として平行な細長い脚部を含み、前記細長い脚部がスペーサによって間隔があけられており、前記脚部と前記スペーサとの間で摩擦接触面が存在し、当該摩擦接触面によって、前記細長い構成部材の一つが隣接するそのような細長い構成部材に対して全体として長手方向に動く状況の下で、摺動摩擦動作を行う、請求項７に記載の柱。
【請求項９】
横方向で対向する凹部を有する細長い柱と、
前面凹部に位置する受け要素と、
細長い中央ウェブを有する細長い梁であって、フックを含む端部延長部を有し、前記柱と前記梁とが相互連結される状態で、前記延長部が前記凹部に受け入れられ、前記フックが前記受け要素と係合する状況となる、細長い梁とを備える、細長い相互連結された構造用柱／梁組立体。
【請求項１０】
前記柱が細長い山形鋼状構成部材の集合の形態をとり、前記山形鋼状構成部材に隣接する複数の山形鋼状構成部材が、細長く、面同士が対向し、間隔が開けられた脚部を含み、前記凹部が間隔をあけて対向する一対の前記脚部によって規定される、請求項９に記載の組立体。
【請求項１１】
一対の直交する関係にある細長い梁の間に、交差梁相互連結部をさらに含み、前記相互連結部が一方の梁に接合される受け要素と、他方の梁に設けられ結合されるフックとを含む、請求項９に記載の組立体。
【請求項１２】
一対で横方向に間隔をあけて配置される柱と、前記柱と相互連結される一対で垂直方向に間隔をあけて配置される梁とによって、互いに結合される直立した平面領域を含む建物骨組み構造の一部を形成する組立体であって、
その建物構造には、そのような平面領域の少なくとも一つを横切ってある角度で延びる細長い交差筋交い要素がさらに含まれ、当該交差筋交い要素の両端部が、前記一対で横方向に間隔をあけて配置される柱の前記柱内で、横方向で対向する凹部に受けられ固定される、請求項１０に記載の組立体。
【請求項１３】
連結される端部を有し、隣接する柱の間の空間をつなぐ、細長く全体として水平な梁をも含む建物骨組み中で、複数で間隔をあけて直立する構造体として使用可能な、建物構造の柱組立体であって、
各々が角度を持って交差する細長い脚部を有する、複数で細長く側面同士が隣接する山形鋼状の柱構成部材と、
前記柱構成部材に連結的に挿入され、前記柱構成部材を互いに間隔をあけて配置される関係に位置決めし、各柱構成部材の各脚部がすぐ隣接する柱構成部材の脚部から間隔をあけその脚部に対向してかつ全体として平行にし、かつ対向する脚部の間の空間が調整可能であり、前記脚部の間に梁の端部部分を受けて、全体として呼び寸法（公称寸法）を与える、スペーサ構造体と、
前記柱の長さに沿って前記スペーサ構造体から間隔を置いた位置で、一対の対向する前記脚部の内に形成され、そのような対向する脚部の間に配設される梁の端部を締結力が調節可能なように、その位置で連結的に固定することを可能にし、そのような連結的な固定の調整により、前記連結された梁と柱との間の摩擦係合の程度を変更可能とする、固定に適合した構造体とを備える、柱組立体。
【請求項１４】
前記柱構成部材と前記スペーサ構造体とを動作可能に相互連結し、前記柱構成部材と前記スペーサ構造体との間の摩擦係合の程度を安定するように調整可能である、スペーサ締結調整機構をさらに備える、請求項１３に記載の柱組立体。
【請求項１５】
呼び寸法（公称寸法）で所定の位置に前もって設置された一組の建築骨組みの梁の間で、梁−梁の交差接続における、細長い交差梁を設置する方法であって、前記建築骨組みの梁は、そのように設置される前に、前記建築骨組み内で、実質的に正しい横の距離により離され、かつ、そこで、設置されるべき前記交差梁が全体として平面で直立した中央ウェブを含む、方法において、
２つの離された梁は交差接続され、そのような２つの離された梁のそれぞれのために、一対の取付け金具および受け部を確立する工程であって、（ａ）前記一対の取付け金具は、全体として平行で平らな脚部または要素を有し、直立し全体として平らで直線的に下り、垂直に接近できる、あいた上部の領域または凹部を形成するように、前記脚部または要素は離され、前記領域または凹部は横幅を有し、当該横幅はそのような交差梁の中央ウェブの厚さを自由に受け入れるために適しており、また（ｂ）前記受け部は、前記領域の前記あいた上部の下にある位置で、そのような要素の間の空間を横切って延びる、確立する工程と、
そのような交差梁の中央ウェブの両端のそれぞれを準備する工程であって、前記領域の前記あいた上部を通って、かつ前記領域中に、前記端の下向きの挿入を可能とするように垂直にはっきりと準備され、また下向きに面するフックを持つように準備され、前記フックは、前述の受け部上で、かつ当該受け部に対して重力で、受け取られ、下向きに着座されるように設計されている、準備する工程と、
交差梁を垂直に下ろす工程であって、前記交差梁は、そのように準備されたウェブの複数の端を有して、それらの端が、前記離された平行な平面の要素の間で、前述のあいた上部の領域に挿入され、かつ当該領域内に受け入れられるようにされ、前記要素は、交差接続される前記２つの離された建築骨組みの梁に関連しており、それによって、前記フックは、前記準備されたウェブの複数の端で、そのような領域に関連する前記受け部の上で、かつ当該受け部に対して重力により、受け取られ留められ着座され、また前記２つの離された建築骨組みのビームの間で、予め下げられた横の空間の、いかなる相当の増大を必要とすることなしに、前記下ろす工程を実行する、交差梁を垂直に下ろす工程と、
前記下ろす工程によって、（ａ）前記離された建築骨組みの梁に対して、かつ当該梁の間で重力により、前記下ろされた交差梁が、留められて相互接続されることをもたらす工程、および（ｂ）それによって、前記下ろされた交差梁と、前記２つの離された建築骨組みの梁との間で、重力で安定され、正しく空間的に構成された梁−梁の相互接続を形成する工程と、を備える方法。